(57)【要約】【課題】  画像印字率の変動にかかわらず常時適正な画像が得られることを可能とする。【解決手段】  像担持体１４ａ上に形成されたトナー画像を記録用紙側に転写する適宜の転写電圧が印加される転写手段１４ｃに対して印加される通紙印加電圧を画像印字率または記録用紙の種類を考慮して決定する転写電圧制御手段を設けることによって、画像印字率または記録用紙の種類が変動しても常に良好な画像形成動作を実行するように構成したもの。【選択図】      図１２
2006276766.tif 000002
【特許請求の範囲】
【請求項１】
像担持体上に形成されたトナー画像を記録用紙に転写させる適宜の転写電圧が印加される転写手段と、
前記転写手段に対して印加する転写電圧を決定する転写電圧制御手段と、
を備えた画像形成装置において、
前記転写電圧制御手段は、記録用紙に形成される画像の印字率によって前記転写電圧を変更する構成を有していることを特徴とする画像形成装置。
【請求項２】
前記転写電圧制御手段は、記録用紙の非通紙時に前記転写手段に対して定電流制御を実行したときの非通紙印加電圧に基づいて適正な通紙印加電圧を決定するものであって、その通紙印加電圧を決定するにあたっては、前記非通紙印加電圧および前記記録用紙に形成される画像の印字率に加えて、記録用紙の種類によって変更するように構成されていることを特徴とする請求項１記載の画像形成装置。
【請求項３】
前記転写電圧制御手段は、前記記録用紙に形成される画像の印字率を、原稿読取手段または画像データから得られるドット比率に基づいて算出し、その算出した印字率を、複数の印字率領域に分類して用いるように構成されていることを特徴とする請求項２記載の画像形成装置。
【請求項４】
前記低印字率領域はドット比率が３０％未満、中印字率領域はドット比率が３０％以上７０％未満、高印字率領域はドット比率が７０％以上にそれぞれ設定されていることを特徴とする請求項３記載の画像形成装置。
【請求項５】
前記転写電圧制御手段は、前記記録用紙の種類として、適宜に分類した中からユーザが任意に選択した種類のものを採用するように構成されていることを特徴とする請求項１または請求項２記載の画像形成装置。
【発明の詳細な説明】
【技術分野】
【０００１】
本発明は、像担持体上のトナー画像を記録用紙に転写させる適正な転写電圧を転写電圧制御手段により決定するように構成された画像形成装置に関する。
【背景技術】
【０００２】
電子写真方式を採用する各種画像形成装置においては、感光ドラム等の像担持体上に形成されたトナー画像が、転写手段に印加される適宜の転写電圧によって記録用紙側に転写される構成になされているが、そのときの転写電圧を適正に制御するための提案が従来からなされている。
【０００３】
例えば、下記の特許文献１に開示された転写電圧制御手段（Ａｃｔｉｖｅ  Ｔｒａｎｓｆｅｒ  Ｖｏｌｔａｇｅ  Ｃｏｏｎｔｒｏｌ：略称ＡＴＶＣ  ）は、画像形成動作を開始する前に実行される前回転動作中や紙間等の非通紙時に、転写手段（転写ローラ）に対して定電流制御を実行するように構成されたものであって、非通紙時における転写手段への印加電圧から抵抗値を算出し、その抵抗値に見合った適正な通紙印加電圧を決定するようにしている。
【０００４】
一方、画像形成を開始する前にユーザが用紙種類を選択したときに、その用紙種類に対応して転写電圧を決定し、その転写電圧を画像形成中に印加するように構成された転写電圧制御手段ものも従来から知られている。
【０００５】
このように従来の転写電圧制御手段は、転写手段（転写ローラ）の抵抗値の変動や、用紙種類による用紙抵抗値の変動を考慮して制御を行う構成になされたものであるが、未だ転写不良を発生することがあり、最適な転写電圧制御を実現するには至っていない。この点に関して、本願発明者が調査・研究を進めたところ、記録用紙上のトナー量、つまり画像の印字率に対応して用紙抵抗値が変動することを解明した。すなわち、画像の印字率によって適正な転写印加電圧は異なっており、そのときの画像印字率によっては異常画像が発生するおそれがあり、従来から発生している転写不良は、転写電圧制御手段が画像の印字率に対応していないことが原因であることが判明した。
【０００６】
さらに本願発明者は、画像の印字率により転写印加電圧の制御電圧マージンが異なっていることも解明した。すなわち、転写電圧制御を実行する場合の制御電圧マージンは、全ての印字率を考慮した狭い範囲のマージンにならざるを得なくなっており、その結果として好適な転写電圧制御を実行することが困難になっていることが判明した。
【０００７】
【特許文献１】特開平２−２６４２７８号公報
【発明の開示】
【発明が解決しようとする課題】
【０００８】
そこで本発明は、画像印字率の変動にかかわらず常時適正な画像が得られるようにした画像形成装置を提供することを目的とする。
【課題を解決するための手段】
【０００９】
上記目的を達成するために、本発明の請求項１にかかる画像形成装置では、像担持体上に形成されたトナー画像を記録用紙に転写させる適宜の転写電圧が印加される転写手段と、前記転写手段に対して印加する転写電圧を決定する転写電圧制御手段とを備えた画像形成装置において、前記転写電圧制御手段は、記録用紙に形成される画像の印字率によって前記転写電圧を変更する構成を有している。
【００１０】
このような構成を有する画像形成装置によれば、通紙時に転写手段に対して印加される通紙印加電圧が、画像の印字率に対応して決定されることから、画像印字率が変動しても常に良好な画像形成動作が実行される。
【００１１】
また、本発明の請求項２にかかる画像形成装置では、上記請求項１における転写電圧制御手段が、記録用紙の非通紙時に前記転写手段に対して定電流制御を実行したときの非通紙印加電圧に基づいて適正な通紙印加電圧を決定するものであって、その通紙印加電圧を決定するにあたっては、前記非通紙印加電圧および前記記録用紙に形成される画像の印字率に加えて、記録用紙の種類によって変更するように構成されている。
【００１２】
このような構成を有する画像形成装置によれば、通紙時に転写手段に対して印加される通紙印加電圧が、非通紙印加電圧および画像の印字率に加えて記録用紙の種類を考慮して決定されることから、これら画像印字率または記録用紙の種類が変動しても常に良好な画像形成動作が実行されるようになっている。
【００１３】
また本発明の請求項３にかかる画像形成装置では、上記請求項２における転写電圧制御手段は、前記記録用紙に形成される画像の印字率を、原稿読取手段または画像データから得られるドット比率に基づいて算出し、その算出した印字率を、複数の印字率領域に分類して用いるように構成されている。さらに本発明の請求項４にかかる画像形成装置では、上記請求項３における低印字率領域はドット比率が３０％未満、中印字率領域はドット比率が３０％以上７０％未満、高印字率領域はドット比率が７０％以上にそれぞれ設定されている。
【００１４】
このような構成を有する画像形成装置によれば、画像印字率の変動が容易に把握されることとなり、低廉な装置で迅速な転写電圧制御動作が可能となる。
【００１５】
さらに、本発明の請求項５にかかる画像形成装置では、上記請求項１または請求項２における転写電圧制御手段は、前記記録用紙の種類として、適宜に分類した中からユーザが任意に選択した種類のものを採用するように構成されている。
【００１６】
このような構成を有する画像形成装置によれば、記録用紙の種類の変動が容易に把握されることとなり、低廉な装置で迅速な転写電圧制御動作が可能となる。
【発明の効果】
【００１７】
以上述べたように、本発明にかかる画像形成装置は、像担持体上に形成されたトナー画像を記録用紙側に転写する適宜の転写電圧が印加される転写手段に対して印加される通紙印加電圧を、画像印字率または記録用紙の種類等を考慮して決定する転写電圧制御手段を設けたことによって画像印字率または記録用紙の種類等が変動しても常に良好な画像形成動作を実行するように構成したものであるから、画像印字率や記録用紙等の変動にかかわらず常時適正な画像が得られ、低コストで画像品質の向上を図ることができる。
【発明を実施するための最良の形態】
【００１８】
以下、本発明の実施形態を図面に基づいて詳細に説明する。
まず、図１および図２に示されている本発明を適用した複写機においては、画像形成を行う画像形成部（プリンタ部）を備えた第１の筐体１１の上部側に、原稿を読取るスキャナ部を備えた第２の筐体１２が配設されている。そして、第２の筐体１２のスキャナ部にセットされた原稿（図示省略）に対する読取画像データが、上記第１の筐体１１内の画像形成部に送られ、そこで読取画像データに基づいた画像が適宜の記録用紙上に形成されるようになっている。
【００１９】
すなわち、上述した第１の筐体１１内に配置された画像形成部（プリンタ部）では、前記スキャナ部からの読取画像データに基づいた画像情報がビデオコントローラ（図示省略）によって受信され、その受信された画像情報が、レーザ発光書込部により光変調情報に変換され射出される。そして、そのレーザ発光書込部から射出された光変調情報は、図２における紙面垂直方向である主走査方向に走査されながらプロセスカートリッジ１４内に像担持体として設けられた感光ドラム１４ａ上にスポット状に結像される。感光ドラム１４ａの表面には、回転方向である副走査方向に移動しながら上述した光スポットが照射され、その光スポットが主走査方向（軸方向）に往復走査されることによって当該感光ドラム１４ａ上に、上述した原稿画像情報に対応した静電潜像が形成される。ついで、その感光ドラム１４ａ上の静電潜像に対して、同じくプロセスカートリッジ１４内に一体的に設けられた現像装置１４ｂから記録材としての現像剤（トナー）が供給されることによって（未定着）トナー像が形成されるようになっている。
【００２０】
一方、上述した第２の筐体１２は、図３に示されているように、前記第１の筐体１１の上方開口部１１ａに対して公知の機械的スライド機構（図示省略）を介して、略水平方向に往復スライド移動可能に配設されており、図１および図２に示された通常使用位置（閉塞位置）と、図３に示された待避位置（開放位置）との間で、図中の符号ＡおよびＢで示された各矢印のようにスライドしつつ往復移動が行われる構成になされている。そして、図３に示された待避位置（開放位置）まで第２の筐体１２が開放移動された場合には、上述した第１の筐体１１の上方開口部１１ａが外部に露出されることとなり、その上方開口部１１ａを通して、図中矢印Ｃのように前記第１の筐体１１の内部機器等やジャム紙に対するメンテナンス作業を行うことができるようになっている。
【００２１】
例えば、上述したプロセスカートリッジ１４は、前記第１の筐体１１に対して図示を省略した適宜の着脱機構を介して着脱自在に装着される構成になされており、その第１の筐体１１の上方開口部１１ａを通して新旧プロセスカートリッジの入れ替え操作や、各種ユニットや各部品に対するメンテナンス作業、または内部搬送路における記録用紙のジャム処理が行われるようになっている。
【００２２】
一方、上述した第１の筐体１１の下部側には、規定のサイズに裁断された記録紙等のシート状記録用紙を給送するメイン給紙ユニット１５が配置されている。このメイン給紙ユニット１５を構成している箱状の給紙カセット１５ａは、第１の筐体１１に対して着脱自在となるように装着されており、その給紙カセット１５ａの内部に図示を省略した適宜のサイズのシート状記録用紙が積層状に蓄えられるようになっている。そして、そのシート状記録用紙の積層方向における最上面が、上記給紙カセット１５ａの紙送り方向前端部分（図示右端部分）に配置された給紙ローラ１５ｂの下面側に押し付けられている。この給紙ローラ１５ｂの回転軸に対しては、図示を省略した電磁クラッチのオン・オフ制御を介して適宜のタイミングで回転駆動力が断続され、それによって前記シート状記録用紙に対する給紙動作が実行されるようになっている。
【００２３】
そして、このメイン給紙ユニット１５における給紙カセット１５ａ内に積層されたシート状記録用紙は、給紙ローラ１５ｂの回転によって給紙通路１６側に送り出されていき、その給紙通路１６に設けられた一対のレジストローラ１７，１７のニップ部に突き当てられることによって適宜のタイミングをとられながら、上述した感光ドラム１４ａと対面する転写領域に送り込まれていく構成になされている。その感光ドラム１４ａの転写領域には、当該感光ドラム１４ａの表面に接触するようにして転写手段としての転写ローラ１４ｃが接触するように配置されている。この転写ローラ１４ｃには、後述する転写電圧制御手段により適宜の転写バイアス（通紙印加電圧）が印加され、その転写バイアスによって上述した感光ドラム１４ａ上に形成された（未定着）トナー像がシート状記録用紙上に静電的に転写されるようになっている。
【００２４】
さらに、転写後のシート状記録用紙は、前記プロセスカートリッジ１４の近傍に配置された定着搬送部材としての定着入口搬送路１８を通って定着器１９内に搬送されていき、その定着器１９内に設けられた加熱ローラ１９ａおよび加圧ローラ１９ｂによる加熱定着動作によってシート状記録用紙上のトナー像が固定されるようになっている。そして、その定着器１９における加熱定着動作によってトナー像を固定されたシート状記録用紙は、当該定着器１９の出口部から排紙ローラ２０の排出搬送作用によって排紙トレイ２１上に排出されていく構成になされている。
【００２５】
一方、上述した第１の筐体１１の背面には画像形成動作等を制御する不図示の制御基板が配置されている。この制御基板には、画像形成動作等を実行する指令を出す中央処理装置（ＣＰＵ）およびプログラム等が格納されたメモリが搭載されており、その中央処理装置（ＣＰＵ）がメモリから図１２に示すフローチャートに対応したプログラムを読み出して実行することによって、後述する転写電圧制御に関するフローチャート等にて表した処理を含む複写機の動作が実現される。
【００２６】
次に、転写電圧制御手段の構成を説明するが、それに先立って、従来の転写ローラへの転写電圧制御動作の概略を説明しておく。
【００２７】
前述した従来技術の欄においても説明したように従来の転写電圧制御においては、画像形成動作を実行する前に、これから使用する記録用紙の種類がユーザにより選択された後に非通紙状態での前回転動作が開始される。そして、その非通紙状態での前回転中に、転写ローラに定電流が印加されることにより、その時に印加していた電圧に基づいて転写ローラの抵抗値が予測され、当該転写ローラの抵抗値と用紙種類に適した転写印加電圧が決定されて通紙時に印加されるようになっている。
【００２８】
このような転写電圧制御においては、図４（ａ）中の破線で囲まれた領域から明らかなように、制御電圧のマージンが、印加する電圧ではなく電流量によって決定される。そのため、印字率３０％未満のときを例にとると、画像形成時における電流量がｉ１［μＡ］で電流不足による異常画像（転写不良）が発生し、電流量がｉ２［μＡ］で電流過剰による異常画像（再転写）が発生し、さらに電流値がｉ３［μＡ］および画像形成時以外の電流量がｉ６［μＡ］でドラムメモリが発生するとする。
【００２９】
なお、このときの「転写不良」とは、電流量が少なく記録用紙の裏面側に帯電する電荷量が少ないために像担持体（感光ドラム）上のトナーを十分に用紙に引き付けられずに画像が白く抜ける現象である。また「再転写」とは、上述した「転写不良」とは反対に電流量が多く記録用紙の裏面側に帯電する電荷量が多いために一度記録用紙に引き付けたトナーを再び像担持体（感光ドラム）上へ戻してしまうことによって画像が白く抜ける現象である。この再転写は、文字等の低印字率画像では顕像化することなく、中、高印字率画像で顕像化するものである。このため再転写に関しては低印字率画像で問題となることはなく無視できるものである。また「ドラムメモリ」とは、紙間などの画像形成時以外に転写ローラと感光ドラムとが記録用紙を介さない状態になったときに抵抗値が下がって両者間に流れる電流量が画像形成時に流れていた電流量よりも上がることにより発生するものであって、感光ドラムに過剰電流が流れると帯電性が不安定になって画像にドラムピッチの黒スジが形成されてしまう現象である。
【００３０】
ここで、記録用紙に流れる電流量は、転写ローラの抵抗値および記録用紙の種類に加えて、記録用紙上に載っているトナーの量、つまり画像の印字率によって決まることが、本願発明者による研究にて判明した。すなわち、同じ転写電圧を印加しているときであっても、画像印字率が大きい時より小さい時の方が記録用紙に流れる電流量は大きくなり、紙裏に帯電される電荷量も大きくなる。これは記録用紙上のトナーが抵抗値を上げているためである。
【００３１】
従来の転写電圧制御では、画像印字率によらずに同じ電圧を印加している。そのため、図４に示されているように制御電圧の下限は、高濃度画像つまり高印字率画像に対する印加電圧Ｖ５［Ｖ］（電流量ｉ１［μＡ］）であり、制御電圧の上限は、中濃度画像つまり中印字率画像に対する印加電圧Ｖ４［Ｖ］（電流量ｉ２［μＡ］）である。したがって、制御電圧マージンは、上述したＶ５［Ｖ］からＶ４［Ｖ］までとなる。このときの転写ローラの抵抗値および記録用紙の種類を制御電圧マージンであるＶ５［Ｖ］からＶ４［Ｖ］の中間電圧Ｖａ［Ｖ］で制御しようとすると、それ自体は画像マージン内であるが、中印字率時で再転写方向領域、高印字率で転写不良方向領域を使用しなければならない。このように画像印字率により制御電圧マージンが異なるため、制御電圧マージンは全ての印字率を考慮した狭い範囲のマージンになってしまい余裕ある転写電圧制御が難しくなってしまっている。
【００３２】
これに対して、図５（ａ），（ｂ）に示されている本発明の一実施形態における転写電圧制御手段による印加電圧制御動作では、画像の印字率によって印加する転写電圧が変更されるようになっている。より具体的には、低濃度画像つまり低印字率画像（ドット印字率３０％未満）の制御電圧の下限はＶ１［Ｖ］（電流量ｉ１［μＡ］）であり、上限はＶ２［Ｖ］（電流量ｉ３［μＡ］）である。したがって、制御電圧マージンはＶ１［Ｖ］からＶ２［Ｖ］までとなる。また、中濃度画像つまり中印字率画像（ドット印字率３０％以上７０％未満）の制御電圧の下限はＶ３［Ｖ］（電流量ｉ１［μＡ］）、上限はＶ４［Ｖ］（電流量ｉ２［μＡ］）であるから、制御電圧マージンはＶ３［Ｖ］からＶ４［Ｖ］までとなる。さらに、高濃度画像つまり高印字率画像（ドット印字率７０％以上）の制御電圧の下限はＶ５［Ｖ］（電流量ｉ１［μＡ］）、上限はＶ６［Ｖ］（電流量ｉ２［μＡ］）であるから制御電圧マージンはＶ５［Ｖ］からＶ６［Ｖ］までとなる。このように画像の印字率により転写印加電圧を変更すると、それぞれの画像印字率毎に最適な電圧を狙う事が可能になり、それぞれの制御電圧マージンの中間電圧を、その時の制御電圧とすればよい。このため転写ローラ抵抗値に基づく制御電圧は、図５に示されているように低印字率画像ではＶｂ［Ｖ］、  中印字率画像ではＶｃ［Ｖ］、高印字率画像ではＶｄ［Ｖ］となる。
【００３３】
一方、上述した図４および図５では、ある特定の記録用紙の種類および転写ローラ抵抗値のときの制御電圧マージンを表しているが、図６では、従来の転写電圧制御における、ある特定の記録用紙種類のときに転写ローラ抵抗値が変動したときの転写電圧制御状態が表されている。そして、図７、図８および図９には、本発明の一実施形態における、ある特定の記録用紙種類において転写ローラ抵抗値が変動したときの画像印字率毎の転写電圧制御状態が表されていて、図７は低印字率のとき（ドット印字率３０％未満）、図８は中印字率のとき（ドット印字率３０％以上７０％未満）、図９は高印字率のとき（ドット印字率７０％以上）である。
【００３４】
上述した各図における横軸Ｖｏ［Ｖ］は、前回転時に定電流を転写ローラに印加したときの電圧である。これは転写ローラの抵抗値と考えることも可能であり、その印加電圧Ｖｏが大きいときは転写ローラの抵抗値も大きいときである。一方、各図の縦軸Ｖｔｒ［Ｖ］は、画像形成動作を実行するときに転写ローラに実際に印加する電圧である。ある電流値を狙うために、前記印加電圧Ｖｏが大きくなると、それに比例して実際の印加電圧Ｖｔｒも大きくなる。
【００３５】
図６における従来制御に関する制御電圧マージンに対して、図７、図８および図９に表された本発明の一実施形態にかかる転写電圧制御における制御電圧のマージンは、いずれも大きくなっている。さらに図５に関して述べたように、画像マージンの中心を狙っているため、すべての印字率において十分に満足することができるものであり、例えば、たまたま印加電圧Ｖｏの検知に誤差が生じて目標とする印加電圧Ｖｔｒと実際のＶｔｒがずれたとしても制御電圧マージンは大きくなっている。そのため、従来に比して制御電圧マージン内に収める可能性は極めて高くなる。
【００３６】
また、本発明にかかる転写電圧制御手段による転写制御の切替状態の一例が図１０および図１１に示されている。
まず、記録用紙の種類として、「普通紙モード」、「薄紙モード」、「厚紙モード」、「はがきモード」、「ＯＨＰモード」の５つのモードを用意しておき、さらにこれらの各モードを「低印字率モード」、「中印字率モード」、「高印字率モード」の３つの印字率領域に分類しておく。このとき「低印字率モード」はドット印字率が３０％未満、「中印字率モード」はドット印字率３０％以上７０％未満、「高印字率モード」はドット印字率７０％以上で分類する。その結果、画像形成動作を実行するときには、図１１中にて表した制御１から制御１５の１５個の各制御の中から１つの制御を使用して転写ローラに電圧を印加する。
【００３７】
ちなみに、ある特定の転写ローラ抵抗値において、転写ローラに印加する電圧の関係は以下のようになる。なお画像の印字率に関しては「高印字率画像」＞「低印字率画像」＞「中印字率画像」（図５、図７、図８および図９参照）、紙種モードに関しては「厚紙モード」＞「普通紙モード」＞「ＯＨＰモード」＞「はがきモード」＞「薄紙モード」（図１０参照）のようになる。
【００３８】
次に、本発明の一実施形態における通紙印加電圧制御手段における制御動作を図１２に基づいて説明する。
【００３９】
まず動作前に、ユーザが記録用紙種類を「普通紙モード」、「薄紙モード」、「厚紙モード」、「はがきモード」、「ＯＨＰモード」の中から１つを選択する（ステップ１）。次に、ユーザがプリント指示をすると（ステップ２）、プリント（画像形成）動作がはじまり前回転動作が開始される（ステップ３）。
【００４０】
この前回転動作が開始されると、画像読取スキャン手段もしくはプリント転送データ（画像データ）から画像の印字率（ドット比率）が算出され（ステップ４）、「低印字率モード」、「中印字率モード」、「高印字率モード」の３つから使用するモードが自動的に選択されるとともに、図１１に示された制御１から制御１５の１５個の制御の中からどの制御を使用するのかが決定される。
【００４１】
さらに、この前回転動作中には、定電流を転写ローラに印加し（ステップ５）、そのとき印加していた電圧Ｖｏを検知したデータをＣＰＵ側へ格納し（ステップ６）、上述したようにして選択された制御とＶｏデータに基づいて、画像形成時に転写ローラに印加する電圧Ｖｔｒを決定する（ステップ７）。
【００４２】
そして、プリント（画像形成）動作が実行されるときには、上述したようにして決定された印加電圧Ｖｔｒを転写ローラへ印加し（ステップ８）、次のジョブがあるならば次のジョブも同じ印加電圧Ｖｔｒを使用する（ステップ９）。次のジョブがなければ画像形成動作を終了し次のプリント指示に待機する（ステップ１０）。
【００４３】
以上説明してきた通り本発明にかかる実施形態にかかる転写電圧制御手段によれば、従来のように転写ローラの抵抗値変動および記録用紙の種類による記録用紙抵抗値変動だけでなく、記録用紙上のトナー量、つまり画像印字率による記録用紙の抵抗値変動にも対応した転写電圧制御が可能になり、最適な転写を保証できる画像形成装置を提供することができる。
【００４４】
特に、本実施形態にかかる転写電圧制御手段では、記録用紙に形成される画像印字率をドット比率に基づいて算出し、その算出した印字率を３つの印字率領域に分類して用いているとともに、記録用紙の種類として、適宜に分類した中からユーザが任意に選択した種類のものを採用するように構成されていることから、画像印字率の変動が容易に把握されることとなり、低廉な装置で迅速な転写電圧制御動作が可能となる。
【００４５】
以上、本発明者によってなされた発明を実施形態に基づき具体的に説明したが、本発明は上記実施形態に限定されるものではなく、その要旨を逸脱しない範囲で種々変形可能であるというのはいうまでもない。
【００４６】
例えば、上述した各実施形態は、複写機に対して本発明を適用したものであるが、スキャナ部を有するその他のファクシミリ等、多種多様な画像形成装置に対しても本発明は同様に適用することができるものである。
【産業上の利用可能性】
【００４７】
以上述べた本発明にかかる画像形成装置は、複写機を始めとして多種多様な画像形成装置に対して広く適用することが可能である。
【図面の簡単な説明】
【００４８】
【図１】本発明を適用する画像形成装置の一例としての複写機の全体構成を表した外観斜視説明図である。
【図２】図１に表した複写機の内部構造の概略構成を表した縦断面説明図である。
【図３】図１に表した複写機のスライド状態を表した外観斜視説明図である。
【図４】従来制御における転写ローラ抵抗値および記録用紙種類に対する制御電圧マージンを表した模式的説明図である。
【図５】本発明の一実施形態にかかる転写電圧制御における転写ローラ抵抗値および記録用紙種類に対する制御電圧マージンを表した模式的説明図である。
【図６】従来制御における特定の記録用紙種類に対する制御電圧マージンと制御を表した線図である。
【図７】本発明の一実施形態における特定の記録用紙種類に対する低印字率時の制御電圧マージンと転写制御を表した線図である。
【図８】本発明の一実施形態における特定の記録用紙種類に対する中印字率時の制御電圧マージンと転写制御を表した線図である。
【図９】本発明の一実施形態における特定の記録用紙種類に対する高印字率時の制御電圧マージンと転写制御を表した線図である。
【図１０】本発明の一実施形態における低印字率時における各記録用紙種類モードに対する転写制御を表した線図である。
【図１１】本発明の一実施形態における転写電圧制御の切替を表した表である。
【図１２】本発明の一実施形態における転写電圧制御のフローチャートを表した線図である。
【符号の説明】
【００４９】
１１，１２  装置本体
１４  プロセスカートリッジ
１４ａ  感光ドラム
１４ｂ  現像装置
１４ｃ  転写ローラ（転写手段）
１８  定着入口搬送路
１９  定着器
【図１】
2006276766.tif 000003
【図２】
2006276766.tif 000004
【図３】
2006276766.tif 000005
【図４】
2006276766.tif 000006
【図５】
2006276766.tif 000007
【図６】
2006276766.tif 000008
【図７】
2006276766.tif 000009
【図８】
2006276766.tif 000010
【図９】
2006276766.tif 000011
【図１０】
2006276766.tif 000012
【図１１】
2006276766.tif 000013
【図１２】
2006276766.tif 000014